(57)【要約】      （修正有）【課題】ソケットコネクタの提供。【解決手段】ソケットコネクタ１は、主に本体１０、本体１０に収納する端子モジュール２０、および本体１０に締結する遮蔽ハウジングより構成する。本体１０前部の端面に挿接面を設け、挿接面の後部に収容室１１を設けて、外部のプラグコネクタ（図示していない）と接ぎ合わせる。端子モジュール２０に複数の端子２１と端子台２５を設け、端子モジュール２０を本体１０収容室１１の後部に収納する。遮蔽ハウジングは、上部遮蔽ハウジング５０と下部遮蔽ハウジング６０を設ける。上・下遮蔽ハウジング５０、６０を本体１０の外部に締結する。複数の弾性係止め片７０を本体１０両側に設け、本体１０に備える収容室１１に突き出し、接ぎ合わせるプラグコネクタを下方向に圧制する。【選択図】図１
0003124686.tif 000002
【実用新案登録請求の範囲】
【請求項１】
本体、底板と挿入面を設け、挿入面は後ろ向きに収容室を設ける、複数の端子を前記本体の収容室に収納し、
該端子に水平取付部を設け、該水平取付部は両側より外部に突き出して固定ラグをそれぞれ設け、ソケットコネクタはさらに、端子台を設け、端子台に上・下板体を設け、上・下板体に合せて締結機構をそれぞれ設け、締結により端子台を構成し、該上・下板体に合せて複数の端子溝を設け、該端子溝に端子の水平取付部を収納し、端子溝の両側に固定溝を設け、該固定溝に端子の固定ラグを収納し、本体の底板後部は前方に向かって収容空間を設け、端子台をこの収容空間に収納する特徴を有する一種のソケットコネクタ。
【請求項２】
上・下板体の両側より外部に突き出して挿入部を設け、上・下板体に対応して設ける締結構造は、複数の締結棒と締結孔を合せて設け、上・下板体の締結棒と締結孔を合せて締結し、該収容空間の両側に取付溝を設け、端子台の挿入部を取付溝に挿入することを特徴とする請求項１記載のソケットコネクタ。
【請求項３】
下部板体に備える締結棒と締結孔は下部板体の両側に対称に設け、上部板体と下部板体は同一構造であることを特徴とする請求項２記載のソケットコネクタ。
【請求項４】
ソケットコネクタはさらに遮蔽ハウジングを設け、該遮蔽ハウジングは本体の外部に挿入することを特徴とする請求項１記載のソケットコネクタ。
【請求項５】
遮蔽ハウジングに上・下板体を設け、下部板体に底壁を設け、底壁の後部は上向きに折り曲げて後部側壁を設け、下部遮蔽ハウジングを本体に締結し、後部側壁は前側に設ける端子台の後部を保持することを特徴とする請求項４記載のソケットコネクタ。
【請求項６】
端子の水平取付部は上向きに折り曲げて保持部を設け、保持部の天面は後ろ向き折り曲げて溶接部を設け、本体に後部端板を設け、後部端板の下部に複数の収容溝を設け、収容溝は後部端板を貫通して、収容室に連絡し、収容溝下部は外部に連絡し、端子の保持部は該収容溝に収納することを特徴とする請求項１記載のソケットコネクタ。
【請求項７】
上部板体は端子溝の後部上・下を貫通してノッチを設け、端子の保持部は該ノッチより引き出して、上部に延ばすことを特徴とする請求項６記載のソケットコネクタ。
【請求項８】
端子の水平取付部に備える固定ラグは、前後仕切られた第１固定ラグと第２固定ラグより構成し、端子溝の両側に固定溝をそれぞれ設け、第１固定ラグと第２固定ラグは端子溝両側に備える固定溝に収納することを特徴とする請求項１記載のソケットコネクタ。
【請求項９】
隣り合う端子溝の間に突起肋を設け、固定溝を隣り合う二つの固定溝を貫通した上、この隣り合った二つの端子溝を連絡することを特徴とする請求項１記載のソケットコネクタ。
【請求項１０】
該ソケットコネクタはＲＪ４５ソケットコネクタを使用することを特徴とする請求項１記載のソケットコネクタ。
【考案の詳細な説明】
【技術分野】
【０００１】
本考案は一種のソケットコネクタ、特に一種の端子組み立てに便利を提供するソケットコネクタに関わるものである。
【背景技術】
【０００２】
ソケットコネクタは電話、コンピュータなどの製品固定に使用されている。ソケットコネクタの挿接により、外部の電子装置同士の電気信号伝送を実現する。
【０００３】
公知技術のソケットコネクタは、ソケットコネクタと接ぎ合わせのプラグコネクタとの電気信号伝送を実現するため、本体を成型するとき、一体化成型により、複数の端子をプラスチック製の本体に固定する。挿接するとき、プラグコネクタの金属接触端はそれらの端子に接触し、電気信号の伝送を実現する。
【０００４】
前記した公知技術のソケットコネクタに備える端子と本体を一体化成型するとき、成型する前に、端子は手作業でプラスチック金型に取付てから、射出成型方式により、端子を本体に成型する。しかしながら、この種の端子と本体を一体化成型する方式は、端子を射出成型機に取り付けるとき、端子の取付位置管理が難しいため、端子と本体を一体化成型した後、端子は予定位置をずれることがある。このため、ソケットコネクタの組み立てに不便のほか、組立精度を低下させ、ソケットコネクタの電気信号伝送に影響する。一方、手作業による端子の取付は、生産工程を増加するばかりでなく、作業時間がかさばり、生産コストが高い。
【考案の開示】
【考案が解決しようとする課題】
【０００５】
本体に挿接面を設け、挿接面の後部に収容室を設ける。複数の端子を前記した本体の収容室に設ける。遮蔽ハウジングを前記した本体の外部を覆う。端子台は上・下板体より構成する、一種のソケットコネクタを提供することを本考案の主な目的とする。すべての端子にそれぞれ水平取付部を設け、該水平取付部の両側は、外部に突き出して複数の固定ラグを設ける。端子台の上・下板体は対称した複数の端子溝を設け、端子の水平取付部を収納する。端子溝両側に複数の固定溝を設け、複数の固定ラグを収容する。本体の底部に収納空間を設け、上・下板体を対称して締結し、端子台の一体化を形成する。該端子台を本体の収納空間に収納する。
【０００６】
前記したとおり、本考案によるソケットコネクタは、それぞれに分離した上・下板体より構成する。端子は下部板体に組み込んだ後、上部板体を組み込むことにより、端子が端子台に固定される。このため、端子と端子台との組み立てに便利を提供し、本体を成型する前に、成型機の金型での端子取付による端子位置の取付精度の低下を防止できるほか、本体成型の生産プロセスを簡素化させ、組立精度を向上できる。
【課題を解決するための手段】
【０００７】
請求項１の考案は、本体、底板と挿入面を設け、挿入面は後ろ向きに収容室を設け、複数の端子を前記本体の収容室に収納し、
該端子に水平取付部を設け、該水平取付部は両側より外部に突き出して固定ラグをそれぞれ設け、本考案によるソケットコネクタはさらに、端子台を設け、端子台に上・下板体を設け、上・下板体に合せて締結機構をそれぞれ設け、締結により端子台を構成し、該上・下板体に合せて複数の端子溝を設け、該端子溝に端子の水平取付部を収納し、端子溝の両側に固定溝を設け、該固定溝に端子の固定ラグを収納し、本体の底板後部は前方に向かって収容空間を設け、端子台をこの収容空間に収納する特徴を有する一種のソケットコネクタとしている。
請求項２の考案は、上・下板体の両側より外部に突き出して挿入部を設け、上・下板体に対応して設ける締結構造は、複数の締結棒と締結孔を合せて設け、上・下板体の締結棒と締結孔を合せて締結し、該収容空間の両側に取付溝を設け、端子台の挿入部を取付溝に挿入することを特徴とする請求項１記載のソケットコネクタとしている。
請求項３の考案は、下部板体に備える締結棒と締結孔は下部板体の両側に対称に設け、上部板体と下部板体は同一構造であることを特徴とする請求項２記載のソケットコネクタとしている。
請求項４の考案は、ソケットコネクタはさらに遮蔽ハウジングを設け、該遮蔽ハウジングは本体の外部に挿入することを特徴とする請求項１記載のソケットコネクタとしている。
請求項５の考案は、遮蔽ハウジングに上・下板体を設け、下部板体に底壁を設け、底壁の後部は上向きに折り曲げて後部側壁を設け、下部遮蔽ハウジングを本体に締結し、後部側壁は前側に設ける端子台の後部を保持することを特徴とする請求項４記載のソケットコネクタとしている。
請求項６の考案は、端子の水平取付部は上向きに折り曲げて保持部を設け、保持部の天面は後ろ向き折り曲げて溶接部を設け、本体に後部端板を設け、後部端板の下部に複数の収容溝を設け、収容溝は後部端板を貫通して、収容室に連絡し、収容溝下部は外部に連絡し、端子の保持部は該収容溝に収納することを特徴とする請求項１記載のソケットコネクタとしている。
請求項７の考案は、上部板体は端子溝の後部上・下を貫通してノッチを設け、端子の保持部は該ノッチより引き出して、上部に延ばすことを特徴とする請求項６記載のソケットコネクタとしている。
請求項８の考案は、端子の水平取付部に備える固定ラグは、前後仕切られた第１固定ラグと第２固定ラグより構成し、端子溝の両側に固定溝をそれぞれ設け、第１固定ラグと第２固定ラグは端子溝両側に備える固定溝に収納することを特徴とする請求項１記載のソケットコネクタとしている。
請求項９の考案は、隣り合う端子溝の間に突起肋を設け、固定溝を隣り合う二つの固定溝を貫通した上、この隣り合った二つの端子溝を連絡することを特徴とする請求項１記載のソケットコネクタとしている。
請求項１０の考案は、該ソケットコネクタはＲＪ４５ソケットコネクタを使用することを特徴とする請求項１記載のソケットコネクタとしている。
【考案の効果】
【０００８】
本考案によるソケットコネクタは、それぞれに分離した上・下板体より構成する。端子は下部板体に組み込んだ後、上部板体を組み込むことにより、端子が端子台に固定される。このため、端子と端子台との組み立てに便利を提供し、本体を成型する前に、成型機の金型での端子取付による端子位置の取付精度の低下を防止できるほか、本体成型の生産プロセスを簡素化させ、組立精度を向上できる。
【考案を実施するための最良の形態】
【０００９】
図１を参照する。本考案を説明する便宜上、本考案のソケットコネクタはＲＪ４５ソケットコネクタを用いる。ただし、ＲＪ１１などその他規格のソケットコネクタを使用しても良い。本考案によるソケットコネクタ１は、主に本体１０、本体１０に収納する端子モジュール２０、および本体１０に締結する遮蔽ハウジングより構成する。本体１０前部の端面に挿接面を設け、挿接面の後部に収容室１１を設けて、外部のプラグコネクタ(図示していない)と接ぎ合わせる。端子モジュール２０に複数の端子２１と端子台２５を設け、端子モジュール２０を本体１０収容室１１の後部に収納する。遮蔽ハウジングは、上部遮蔽ハウジング５０と下部遮蔽ハウジング６０を設ける。上・下遮蔽ハウジング５０、６０を本体１０の外部に締結する。複数の弾性係止め片７０を本体１０両側に設け、本体１０に備える収容室１１に突き出し、接ぎ合わせるプラグコネクタを下方向に圧制する。
【００１０】
図２に示すとおり、端子モジュール２０に複数の端子２１を設け、それぞれの端子２１に水平取付部２１１を設け、水平取付部２１１の両側はそれぞれ外部に突き出して、前後仕切られた矩形の第１固定ラグ２１２ａと第２固定ラグ２１２ｂを形成する。すべての水平取付部２１１の前部は後側に折り曲げて、上方に傾斜して弾性接触部２１３を形成し、水平取付部２１１の後部は上向きの縦方向に折り曲げて、保持部２１４を形成する。保持部２１４の頂点を後側に折り曲げて、水平状態の溶接部２１５を設ける。
【００１１】
引き続きに図２を参照する。端子台２５は上部板体２５１と下部板体２５２を設け、下部板体２５１は複数の互いに平行した端子溝２５３を設け、隣り合う二つの端子溝２５３の間に突起肋を形成し、端子溝２５３の両側は前後仕切られた矩形の固定溝２５４を設け、端子２１の水平取付部２１１両側の第１固定ラグ２１２ａと第２固定ラグ２１２ｂはそれぞれ端子溝２５３の固定溝２５４に収納する。本実施例において、隣り合う端子溝２５３の間に備える固定溝２５４は、隣り合った固定溝２５４の間の突起肋を貫通して、隣り合う端子溝２５３に連絡する。上部板体２５１はすべての端子溝の後部にて、上下を貫通してノッチ２５７を形成し、端子２１の保持部２１４を収納する。下部板体２５１の後部も合せて貫通して、複数のノッチ２５７を設ける。下部板体２５２左側の前部に締結棒２５５を設け、下部板体２５２右側の前部に備える締結棒２５５に対称位置に締結孔２５６を開け、下部板体２５２左側の後部に前記した締結孔２５６を設け、下部板体２５２右側の後部と左側の後部に備える締結孔２５６の対称位置に前記した締結棒２５５を設け、上部板体２５１と下部板体２５２の締結棒２５５と締結孔２５６の相対位置に締結孔２５６と締結棒２５５を設ける。上・下板体２５１、２５２の締結棒２５５は締結孔２５６に合せて締結し、上・下板体２５１、２５２の締結固定を実現する。上部板体２５１、下部板体２５２の両端はそれぞれ外部に延ばして、挿入部２５８を設け、挿入部２５８と上・下板体２５２、２５２それぞれに階段を形成する。本考案を実施するとき、上・下板体２５１、２５２は同一構造である。すなわち、上部板体２５１と下部板体２５２は同じのプラスチック金型より成型する。上部板体２５１は下部板体２５２より左右ひっくり返して、端子溝２５３を設ける面を下向きにする。上部板体２５１の構造はさらなるの説明を省略する。
【００１２】
図１に示すとおり、本体１０に二つの側板１２を設け、それぞれの側板１２に台形ノッチ１２１を設けて、弾性係止め片７０を収納する。側板１２は台形ノッチ１２１下部の水平場所に細長い棒状きり欠け１２２を設け、台形ノッチ１２１と細長い棒状きり欠け１２２は側板１２を貫通して収容室１１に連絡する。側板１２下部の前後二つの取付ラグ１２３を設け、側板１２後部の両側は下方に延ばして挿置部１２４を設け、外部の電気回路板に挿置する。本体１０後部に後部端板１３を設け、後部端板１３の下部は縦方向に複数の格子状の収容溝１３１を設ける。該収容溝１３１は後部端板１３を貫通して収容室１１に連絡する。下部の先端は下向きに外部と連絡し、端子２１の保持部２１４を受入れて、収容溝１３１に収納する。
【００１３】
本体１０の底部に底板１４を設け、底板１４は後部より前側に引き込んで収納空間１４１を形成し、端子台２５を収納する。底板１４は収納空間１４１の両側に取付溝１４２を開けて、端子台２５両側の挿入部２５８を挿入する。
【００１４】
引き続きに図１を参照する。本考案によるソケットコネクタ１の下部遮蔽ハウジング６０に底壁６１を設け、底壁６１の後部を上向きにし、折り曲げて後部壁６２を形成する。底壁６１の両側に上向きにし、折り曲げて二つの側壁６３を設け、すべての側壁６３の上部に前・後二つの締結孔６３１を設ける。側壁６３はほぼ中央部から内側に引き込んで保持片６３２を突き出して設け、保持片６３２は本体１０の細長い棒状きり欠け１２２を通過し、本体１０の収容室１１に挿入し、挿入する外部プラグコネクタを左右から保持する。保持片６３２後部に挿置片６３３を設け、外部の電気回路板に挿置する。側壁６３下部の前後に二つの取付孔６３４を設けて、本体１０の側板１２下部に備える取付ラグ１２３に合せる。
【００１５】
上部遮蔽ハウジング５０に天板５１を設け、天板５１の両側はそれぞれ下方に折り曲げて、前後仕切られた前部側壁５２と後部側壁５３をそれぞれに設け、該前・後部側壁５２、５３の下部はそれぞれ内側に突き出して、締結フック５３１を設け、下部遮蔽ハウジング６０に備える側壁６３上部の締結孔６３１に合せる。
【００１６】
図３から図７を参照する。本考案によるソケットコネクタ１を組み立てするときは、まず、複数の端子２１を対称して端子台２５に備える下部板体２５２の端子溝２５３に取り付け、端子２１の水平取付部２１１両側の第１、第２固定ラグ２１２ａ、２１２ｂそれぞれ固定溝２５４に収納し固定する。上部板体２５１を締結した後、端子２１の保持部２１４は上部板体２５１後部のノッチ２５７を通過し上部に延ばして、上・下板体２５１、２５２の締結棒２５５と締結孔２５６を合せて締結し、端子２１の保持部２１４は上部板体２５１後部のノッチ２５７を通過して、上部に延ばすことにより、端子モジュール２０の組み立てを終了する。引き続きに、組み立て完了後の端子モジュール２０は後部から前向きして本体１０の収納空間１４１に挿入し、端子２１の弾性接触部２１３を本体１０の収容室１１に挿入する。端子台２５両側の挿入部２５８を本体１０の取付溝１４２に挿入し、端子２１の保持部２１４を本体１０後部の収容溝１３１に収納する。なお、端子２１の溶接部２１５は後ろ向に収容溝１３１の外部に突き出して、外部電気回路板に溶接する。続いて、弾性係止め片７０を本体１０に備える側板１２の台形ノッチ１２１に取り付けて、下部は本体１０の収容室１１に延ばし、下部遮蔽ハウジング６０を本体１０の下部に挿入して、本体１０下部の取付ラグ１２３と下部遮蔽ハウジング６０の側壁６３下部の取付孔６３４に締結する。下部遮蔽ハウジング６０の保持片６３２は本体１０の側板１２に備える長い棒形きり欠け１２２を通過して、収容室１１に挿入する。下部遮蔽ハウジング６０は後部側壁６２より前側の端子台２１の後部を保持して、端子モジュール２０が後部への移動を阻止した上、上部遮蔽ハウジング５０を締結して、上部遮蔽ハウジング５０の締結フック５３１と下部遮蔽ハウジング６０の側壁６３上部に備える締結孔６３１と締結する。これにより、本考案によるソケットコネクタ１の組み立てを完了する。
【００１７】
前記した説明のとおり、本考案によるソケットコネクタ１は端子モジュール２０と本体１０との組み立て構造により、本体１０と端子２１との組み立てが便利となり、組み立ての精度管理が簡単のほか、成型するとき、複数の端子２１をプラスチック金型に取り付ける必要がない。よって、本体１０の成型工程の簡素化を実現できる。このほか、本考案によるソケットコネクタ１の端子モジュール２０に備える上・下板体２５１、２５２は同一構造を採用し、端子台２５の上・下板体２５１、２５２は同じのプラスチック金型による成型を実現し、端子台２５の成型工程を簡素化させ、生産コストの軽減に寄与する。    
【図面の簡単な説明】
【００１８】
【図１】本考案によるソケットコネクタの分解図である。
【図２】本考案によるソケットコネクタの端子モジュールの分解図である。
【図３】本考案によるソケットコネクタの端子を上部板体に取り付けた立体図である。
【図４】本考案によるソケットコネクタの端子モジュールの立体図である。
【図５】本考案によるソケットコネクタの立体図である。
【図６】本考案によるソケットコネクタの端子モジュールを本体に取り付けた立体図である。
【図７】本考案によるソケットコネクタの立体図である。
【符号の説明】
【００１９】
１  ソケットコネクタ
１０  本体
１１  収容室
１２  側板
１２１  台形ノッチ
１２２  細長い棒形切り欠き
１２３  取付ラグ
１２４  挿置部
１３  後部端板
１３１  収容溝
１４  底板
１４１  収納空間
１４２  取付溝
２０  端子モジュール
２１  端子
２１１  端子取付部
２１２ａ  第１固定ラグ
２１２ｂ  第２固定ラグ
２１３  弾性接触部
２１４  保持部
２１５  溶接部
２５  端子台
２５１  上部板体
２５２  下部板体
２５３  端子溝
２５４  固定溝
２５５  締結棒
２５６  締結孔
２５７  ノッチ
２５８  挿入部
５０  上部遮蔽ハウジング
５１  天板
５２  前部側壁
５３  後部側壁
２３１  締結フック
６０  下部遮蔽ハウジング
６１  底壁
６２  後部壁
６３  側壁
６３１  締結孔
６３２  保持片
６３３  挿置片
６３４  取付孔
７０  弾性係止め片
【図１】
0003124686.tif 000003
【図２】
0003124686.tif 000004
【図３】
0003124686.tif 000005
【図４】
0003124686.tif 000006
【図５】
0003124686.tif 000007
【図６】
0003124686.tif 000008
【図７】
0003124686.tif 000009